(57)【特許請求の範囲】
【請求項１】
ハンドルアームを介して握り手に沿って指が通る程度の適宜の間隔を隔てて連結されるケース状のハンドルベースにダイヤル錠を組み付けて形成され、前記指が通る方向の直交方向にダイヤル錠のダイヤルの回転方向を設定してなり、
前記ダイヤルは、表面の最外周部に沿って符号が周方向に均等間隔で印刷され、握り手を把持してハンドルベースが吊り下げられたときに握り手に面する前記表面側をハンドルベースにより覆われるとともに、該ハンドルベースに開設される操作開口から単一の符号が見えるようにしてハンドルベース外部に露出する鞄のハンドル装置。
【請求項２】
前記ハンドルベースの握り手に沿う長手方向にダイヤルの複数が連設される請求項１記載の鞄のハンドル装置。
【請求項３】
請求項１記載の鞄のハンドル装置のハンドルベースを鞄本体外表面に固定し、該固定外表面に対してほぼ平行にダイヤルの回転方向を設定してなる鞄。
【発明の詳細な説明】
【技術分野】
【０００１】
本発明は鞄のハンドル装置および鞄に関するものである。
【背景技術】
【０００２】
鞄のハンドル装置へのダイヤル錠の組み付けに関しては、従来、特許文献１に記載されたスーツケースにおいて提案されているものが知られている。この従来例において、スーツケースの肩口付近には、ハンドルに形成される一対の脚を伸縮自在に収納するハンドルケースが設けられ、収納する脚の間に生じるデッドスペースを活用してワイヤ錠が装着される。ハンドルケースは、例えば、上記脚が出し入れされる一対の脚孔と、この脚孔に挟まれる部位よりもほんの少しだけ下方に形成される凹みと、この凹みを覆う蓋とを備えて構成され、凹みに嵌め込まれるワイヤ錠を蓋で覆って形成される。このワイヤ錠は３枚のダイヤル盤の回転位置によって施解錠操作に必要な暗証番号を入力するいわゆるダイヤル錠であり、ハンドルケースの上記脚孔の間に開設されるダイヤル操作窓によってスーツケースの外側からダイヤル盤による番号合わせができるようにされる。
【特許文献１】実用新案登録３０９９５１２号公報
【発明の開示】
【発明が解決しようとする課題】
【０００３】
しかしながら、上記従来例においては、ダイヤル盤を誤操作しやすいという欠点がある。すなわち、ダイヤル盤の３枚は一対の脚孔を結ぶ直線上にほぼ連なるようにして並設され、一方、ハンドルは、ハンドルケース内に脚を収納した状態においてダイヤル操作窓の上方に握り手部分が被さることから、ハンドルを引き出すために握り手部分を握ろうとする際などに誤ってダイヤル盤を回転操作しやすい。
【０００４】
この誤操作は、例えば、ダイヤル盤と収納状態におけるハンドルの握り手との間隔をより広くすることにより解消可能であるが、このために収納状態におけるハンドルのスーツケースからの突出寸法を大きくすると邪魔になってしまうし、ダイヤル盤、すなわちダイヤル錠をスーツケース内方により深く埋め込むようにした場合には、スーツケース内部の荷物収容スペースが圧迫されてしまう。
【０００５】
また、上記従来例は、上述したようにいわゆるキャリーハンドルの脚によって生じるデッドスペースを有効利用することにより、ワイヤ錠の取り付けによるスーツケースの荷物収容スペースの圧迫を防ぐことができる反面、これによってワイヤ錠の取り付け位置が制限されてしまう、すなわち配置の自由度が低いという欠点がある。
【０００６】
本発明は、以上の欠点を解消すべくなされたものであって、ダイヤルの誤操作を防ぐことができ、配置の自由度を高めることができる鞄のハンドル装置および鞄の提供を目的とする。
【課題を解決するための手段】
【０００７】
本発明によれば上記目的は、
ハンドルアーム１を介して握り手２に沿って指が通る程度の適宜の間隔Ｄを隔てて連結されるケース状のハンドルベース３にダイヤル錠４を組み付けて形成され、前記指が通る方向の直交方向にダイヤル錠４のダイヤル５の回転方向を設定してなり、
前記ダイヤル５は、表面の最外周部に沿って符号が周方向に均等間隔で印刷され、握り手２を把持してハンドルベース３が吊り下げられたときに握り手３に面する前記表面側をハンドルベース３により覆われるとともに、該ハンドルベース３に開設される操作開口１８から単一の符号が見えるようにしてハンドルベース３外部に露出する鞄のハンドル装置を提供することにより達成される。
【０００８】
本発明によれば、鞄のハンドル装置は、握り手２に鞄への取り付け基部となるハンドルベース３を連結して形成される。ハンドルベース３と握り手２とはハンドルアーム１を介して指が通る程度の適宜の間隔Ｄを隔てており、したがってハンドルベース３を鞄外表面に固定するだけで、簡単に、鞄を運びやすい状態にすることができる、すなわち、握り手２を手で握って荷物を満載した鞄を運ぶ際などに握り手２と鞄の重心との距離をより近接させることによりバランスをとりやすくするとともに、握り手２を握る指先にハンドルベース３との間で適宜のフィット感、安心感を得られるようにする。
【０００９】
また、上記ハンドルベース３はケース状に形成されてダイヤル錠４が組み付けられ、したがってハンドルベース３を鞄に取り付けることにより、同時に鞄の防犯性をも向上させることができる。ダイヤル錠４は、例えば、施錠状態において鞄が開かないように機能するもののほか、上述した従来例のようにワイヤと組み合わせてワイヤ錠として構成することも可能であり、この場合には柱などに鞄を繋ぎ止めることが可能になるために置き引きを防止することができる。また、このようにダイヤル錠４を用いることにより、暗証番号を覚えておくだけでシリンダー錠のように鍵を必要としないために、持ち物を携行しなければならない旅行時などにおける使い勝手を高めることができる。さらに、ダイヤル５の回転位置の組み合わせにより施解錠コードを入力するダイヤル錠４は、他の符号錠であるボタン錠に比して少ないダイヤル５等の入力部の数でより多くの施解錠コードを設定することができるため、よりコンパクトに安全性を高めることができる。
【００１０】
ハンドルベース３へのダイヤル錠４の組み付けは、上述した握り手２とハンドルベース３との間に握り手２を握ろうとして指を差し入れた際に過って指先等に接触してダイヤル５が回転してしまわないようにするために、握り手２周りの指が差し入れられる方向に対して直交方向にダイヤル５が回転する、すなわちダイヤル５は、握り手２の長手方向に沿って回転するようにされる。したがってダイヤル錠４の組み付けによりハンドルベース３から回転操作自在に露出するダイヤル５について、ダイヤル錠４を施錠・解錠状態にしたまま鞄を持ち運ぶときなどにおける誤操作を防止でき、鞄運搬時における施錠・解錠状態の確実な維持により防犯性、使いやすさを向上させることができる。上記ダイヤル５の回転方向は、具体的には、握り手２を把持してハンドルベース３、すなわち鞄を吊り下げたときに、水平面内等に設定することが可能であるが、ダイヤル５を水平回転させる場合には、ダイヤル５が占めるほぼコイン状の回転領域を鞄の鞄本体６のハンドルベース３が固定される外表面と平行にすることができ、したがってハンドルベース３の鞄本体６における固定面である固定外表面７からの突出量をより小さくすることができ、鞄の荷物収容スペースの圧迫をさらに低減して配置の自由度を極めて向上させることが可能となる。
【００１１】
また、ダイヤル錠４のダイヤル５を小さくすることは、ダイヤル５が占める回転領域を小さくしてダイヤル錠４やこれが組み付けられるハンドルベース３をよりコンパクトにでき、ハンドル装置の鞄への配置の自由度を高めるために有効であるが、この場合ダイヤル５の操作性を維持しつつ、多数の符号違いを生じさせ、ダイヤル錠４の操作性、安全性を維持するためには、ダイヤル５を多数設ける必要が生じる。この場合において、ダイヤル５をハンドルベース３の握り手２に沿う長手方向に連設した場合には、ハンドルベース３の長手方向を複数のダイヤル５、５・・を配置するための配置スペースとして有効活用することができる。したがって上述したようにダイヤル５が水平回転する場合にはハンドルベース３の高さ寸法をより小さく抑えることができる。
【発明の効果】
【００１２】
以上の説明から明らかなように、本発明によれば、ダイヤルの誤操作を防ぐことができ、配置の自由度を高めることができる鞄のハンドル装置および鞄を提供することができるために、荷物収容スペースをより広く確保してデザイン性、使い勝手の良好な防犯性に優れた鞄をつくることができる。
【発明を実施するための最良の形態】
【００１３】
図１ないし図８に本発明の実施の形態を示す。この実施の形態において、鞄のハンドル装置Ａは、図１ないし図３に示すように、ハンドルベース３にハンドル本体１０を連結して形成される。ハンドル本体１０は、合成樹脂材の射出成形により図２等に示すように握り手２とハンドルアーム１、１を一体に備えた略Ｕ字形状に形成され、握り手２の両端からその長手方向に対してほぼ直交方向にハンドルアーム１が延設される。このハンドル本体１０の両端部、すなわちハンドルアーム１のそれぞれの先端部には、図４（ａ）および（ｂ）に示すように、ハンドルベース３への連結部となるほぼ円柱状の連結軸部１１が互いに対向するように握り手２に沿う方向に膨出する。
【００１４】
ハンドルベース３は、図１等に示すように側面視倒コ字形状で、長手方向両端には上記連結軸部１１に連結されるハンドル保持部１２が左右対称に形成される。このハンドルベース３は合成樹脂材により中空のケース状に形成され、図４（ｂ）に示すように下ケース３ｂの上に上ケース３ａを重ね合わせて形成される。
【００１５】
上ケース３ａは、底壁のないほぼボックス状に形成された一対のハンドル保持部１２、１２間を該ハンドル保持部１２よりも背が低く同様に底壁のないほぼボックス状からなるベース部１３で連結して形成され、図６（ａ）および（ｂ）に示すようにハンドル保持部１２とベース部１３とは内部の中空部が上部のみリブ１４により区画され、また、ハンドル保持部１２には、図３（ａ）、図４（ａ）および図４（ｂ）に示すように、それぞれの端部側の側壁が下方から切り欠かれて上記連結軸部１１が挿通される軸部挿通切り欠き１５が形成される。図１（ａ）や図２（ａ）等に示すように、上記ベース部１３の上面や側面に開設され１６、１７は後述するワイヤ引き出し孔およびワイヤ差し込み孔、ベース部１３の上部隅部に開設される１８はダイヤル５の操作開口、ハンドル保持部１２の側壁およびベース部１３に面して開設される１９は操作体２０の操作開口、この操作開口側にハンドル保持部１２の側壁から膨隆する２１は操作体の庇部であり、図４（ｂ）において上述したリブ１４に一体形成される２２はハンドルベース３の鞄への取付用ねじ孔である。
【００１６】
下ケース３ｂは、上ケース３ａの下部に嵌合してハンドルベース３の底壁を構成するほぼ板状の部材で、長手方向両端には、上記軸部挿通切り欠き１５の下向きの開放端を閉塞して連結軸部１１の断面にほぼ近い断面形状の軸孔を形成する側壁部２３が立設される。この下ケース３ｂは、嵌合状態において上述したリブ１４の下端縁にほぼ当接して上ケース３ａの下端縁よりもやや上方に配置され、この状態における安定性を高めるために上記側壁部２３は下方にも垂下されて上ケース３ａの下端縁とほぼ同一面上にその下端縁を並べる。
【００１７】
したがって下ケース３ｂに上ケース３ａを被せると、図２（ｂ）および図６（ｂ）に示すように、上ケース３ａのリブ１４の下端に下ケース３ｂの上面が当接した状態で上ケース３ａの側壁に囲まれるようにして下ケース３ｂが上ケース３ａ下部に嵌合固定され、この状態で上ケース３ａの軸部挿通切り欠き１５は開放する下方を下ケース３ｂの側壁部２３に閉塞されてハンドルアーム１の連結軸部１１の断面積にほぼ近い軸孔が形成されるとともに、上ケース３ａの側壁の下端縁と下ケース３ｂの側壁部２３の下端縁は同一面上に位置していわゆる下ケース３ｂがハンドルベース３の上げ底のような状態になる。このように下ケース３ｂに上ケース３ａを被せる前に予め軸部挿通切り欠き１５にハンドルアーム１の連結軸部１１を挿入しておくことにより、ハンドル本体１０は上記軸孔により連結軸部１１周りに回転自在にハンドルベース３に連結され、図３（b）に示すようにハンドル本体１０を引き起こすことにより、ハンドルベース３と協働してハンドル装置Ａに指が通る程度の適宜の高さ寸法Ｄの環状の手提げ穴を形成する。また、図４（ａ）および（ｂ）に示すように一方の連結軸部１１の先端にフランジ状に形成されるずれ止め部１１ａを軸部挿通切り欠き１５の周縁に係止させることによって、ハンドルベース３に対してハンドル本体１０が連結軸部１１の長手方向にずれないようにされる。さらに、図４（ａ）および（ｂ）に示すように、ずれ止め部１１ａが形成されない連結軸部１１の他方にはスリット１１ｂが設けられ、一端がハンドル保持部１２の内壁面に係止する捩りバネ５３の他端が係止されることにより、ハンドル本体１０は、図３（ａ）等に示すハンドルベース３にほぼ水平な収納姿勢側に付勢される。
【００１８】
以上のハンドルベース３には、図４（ｂ）および図６（ａ）等に示すように、ダイヤル５の操作によりワイヤ２４を閉ループ状に締結可能なワイヤ錠２５が組み付けられる。ワイヤ錠２５は、上記ワイヤ２４と、このワイヤ２４を巻回収納可能なワイヤ収容部２６と、施解錠手段としてのダイヤル錠部（ダイヤル錠４）とを有して構成される。
【００１９】
ワイヤ２４は、金属細線を撚って形成され、一端には図６（ｂ）等に示すように段付きピン状の連結金具２４ａが取り付けられ、他端はワイヤ収容部２６に連結固定される。ワイヤ収容部２６は、上記ワイヤ２４の一端が連結されてワイヤ２４を巻回収納するリール２７と、このリール２７を回転自在に収容するリール収容部２８とを有し、リール収容部２８は図３（ａ）等に示すように合成樹脂材からなるリール収容片２８ａ、２８ａの２つ割りにされ、リール収容片２８ａ、２８ａを合わせることにより組み立てられる。このリール収容片２８ａは一方が上述した下ケース３ｂの底面側に一体成型され、他方のリール収容片２８ａに対して図１等に示すように一方に形成されたボス２９を他方に形成されたボス受け穴３０に圧入することによって連結され、これによりハンドルベース３の下方にリール収容部２８、すなわちワイヤ収容部２６が固定される。このワイヤ収容部２６からのワイヤ２４の引き出しは、上述したワイヤ引き出し孔１６を介してワイヤ２４を下ケース３ｂおよび上ケース３ａを貫通してハンドルベース３上面からハンドルベース３外部へと引き出すことによりなされ、引き出したワイヤ２４をループ状に折り返して上述したハンドルケベース３側面のワイヤ差し込み孔１７に挿入し、拘束することにより、柱等に係留可能な閉ループが形成される。
【００２０】
また、図４（ｂ）に示すように、上記リール収容片２８ａの一方にはリール２７を回転自在に軸支するリール回転軸３１が設けられ、上記リール２７は、このリール回転軸３１によって垂直回転自在に支持される。さらに、リール回転軸３１には図示しないゼンマイバネの一端が係止するスリット３１ａが設けられ、このゼンマイバネの他端がリール２７外周等の適宜箇所に留められることにより、リール２７を回転させて巻回されたワイヤ２４を解いて引き出すことによってリール２７の回転量分だけ上記ゼンマイバネをリール２７のワイヤ２４巻き取り方向に巻き込み、これにより生じる付勢力によってリール２７がワイヤ２４を巻き取る回転位置まで復帰することで引き出したワイヤ２４をリール２７に巻き取れるようにされる。
【００２１】
加えて、上記リール２７には、リール２７周方向に等間隔で突出する突起３２ａ、３２ａ・・を備えたラチェット車３２が形成され、上記リール収容部２８には、リール２７と平行な回転軸周りに回転自在に取り付けられ、ラチェット車３２に係脱してリール２７のワイヤ２４巻き取り方向への回転を禁止、許容するトリガ部材３３が設けられる。トリガ部材３３は、図４（ｂ）および図６（ｂ）に示すようにほぼＬ字形状で、一端には爪片３３ａが、他端には操作片３３ｂが形成され、折曲部分はリール回転軸３１に平行なトリガ回転軸３３ｃにより垂直回転自在に軸支される。同図に示すように、トリガ部材３３を爪片３３ａがラチェット車３２の突起３２ａに係止する係止回転位置にすることによりゼンマイバネの付勢力に抗してリール２７のワイヤ２４巻き取り方向への回転を禁止することができ、これによりワイヤ２４をハンドルベース３から引き出した状態に保持し、その引き出し長さを維持する。この状態で爪片３３ａとラチェット車３２の突起３２ａとはリール２７のワイヤ２４巻き取り方向に係止し、したがってリール２７はワイヤ２４引き出し方向への回転については許容される。また、図５（ｂ）に示すようにトリガ部材３３を回転させて爪片３３ａと突起３２ａを係止解除すれば、ワイヤ２４を引き出した状態でゼンマイバネの付勢力により回転するリール２７はワイヤ２４を巻き取り、リール収容部２８内にワイヤ２４を巻回収納する。このトリガ部材３３は、図４（ｂ）に示すようにスプリング３４によりラチェット車３２に係止する係止回転位置に付勢される。
【００２２】
ダイヤル錠部４は、施解錠コードを入力するためのダイヤル５と、上述した施解錠操作のための操作体２０を有する。ダイヤル５は、図４（ａ）、図５（ａ）、および図６（ａ）等に示すように周縁部がギザギザのほぼコイン状で、上ケース３ａから垂下するダイヤル回転軸３５により水平回転自在に枢支され、周縁部には厚さ方向に突出するリブ５ａが形成される。このリブ５ａに入れ子状に嵌入するようにしてダイヤル５の底面側にはほぼ円筒状のスリーブ３６が相対回転不能に保持され、該スリーブ３６の側面を掘り込むことによりダイヤル５の回転に応じて回転するダイヤル５直径方向にほぼ直線状に延びる係合凸部３６ａが形成される（図５（ｂ）参照）。この実施の形態においては、ダイヤル５の操作性を確保しつつ、施解錠コードを多様化して防犯性を高めるために、ダイヤル５は直径１２〜１３ミリに形成されて周方向に均等間隔、すなわち均等角度毎に０から９までの数字が最外周部沿って印刷され、また、図５（ａ）および（ｂ）に示すように３枚のダイヤル５、５、５がハンドルケースの長手方向に沿って水平姿勢で連設される。
【００２３】
操作体２０は、より細かな操作ができるように第１操作体３７と第２操作体３８の２つに機能を分けて構成される。第１操作体３７は、ダイヤル５により入力される施解錠コードが予め設定されたものと合致するときに移動操作可能になり、この移動によってハンドルベース３外部に引き出されたワイヤ２４の自由端の連結金具２４ａをハンドルベース３に拘束、あるいは拘束解除してワイヤ２４による閉ループを形成、解消するもので、図５（ａ）に示すように合成樹脂材を側面視ほぼＬ字形状に成形して形成される。その上部には操作ボタン３９が形成され、下部には、上記係合凸部３６ａに係合してダイヤル５が所定回転位置をとることにより係合凸部３６ａのベース部１３長手方向への相対移動可能を許容する係合凹部４０ａが開設されたほぼ平板状のスライド板４０と、連結金具２４ａに係脱可能なワイヤ拘束突起４１が形成される。
【００２４】
上記スライド板４０は下ケース３ｂ上面に載置されてハンドルベース３の長手方向に沿って進退動自在で、操作ボタン３９は、上ケース３ａに開設される上述した操作体２０の操作開口１９からハンドルベース３外部に露出し、庇部２１から飛び出す突出位置からハンドル保持部１２内方に押し込まれることにより庇部２１に隠れる押し込み位置へと移動する。この操作ボタン３９の突出位置から押し込み位置への移動は、図６（ａ）に示すようにスライド板４０のスリーブ３６に対する相対移動を伴い、したがって上述したように係合凸部３６ａが図５（ｂ）において向かって右端に配置される回転位置から、ダイヤル５を矢印方向に回転させることにより、図６（ａ）に示す係合凹部４０ａに対してハンドルケース長手方向に相対移動可能な回転位置となることで可能となる。また、スライド板４０や操作ボタン３９とともにハンドルベース３長手方向に移動するワイヤ拘束突起４１は、操作ボタン３９の突出位置と押し込み位置との間の移動により上述したワイヤ差し込み孔１７に対して進退動し、図４（ｂ）および図５（ｂ）、あるいは図６（ａ）および（ｂ）に示すように連結金具２４ａに係脱してワイヤ差し込み孔１７に連結金具２４ａを拘束、拘束解除し、ワイヤ２４による閉ループを形成、解消する。以上の第１操作体３７は操作ボタン３９の裏面とハンドル保持部１２の側壁の間に介装されるスプリング３４’により操作ボタン３９の突出位置側に付勢される。
【００２５】
第２操作体３８は、図４（ｂ）に示すように、上部に上記第１操作体３７とほぼ同様の操作ボタン３９’を備え、その下部には、操作ボタン３９の押動により上述したワイヤ引き出し孔１６に進退動するワイヤ拘束突起４１’と、下ケース３ｂを貫通してリール収容部２８内で進退動するラチェット操作突起４２とを有する。図６（ａ）に示すように操作ボタン３９’をスプリング３４”の付勢力に抗して突出位置から押し込み位置へと押動することにより、ハンドルベース３の長手方向に沿って上記第１操作体３７とは逆方向に移動し、ワイヤ拘束突起４１’はワイヤ引き出し孔１６から退避して連結金具２４ａと係止している場合にはその係止を解除し、ワイヤ引き出し孔１６での連結金具２４ａの拘束を解除してワイヤ収容部２６からハンドルベース３外部へのワイヤ２４の引き出しを許容する。また、この第２操作体３８の移動によりリール収容部２８内を進退動するラチェット操作突起４２は上述した操作片３３ｂを押動し、トリガ部材３３を回転させてラチェット車３２の突起３２ａと爪片３３ａとを係止解除させ、リール２７をワイヤ２４巻き込み方向に回転可能な状態にする。これにより、ワイヤ２４がハンドルベース３外部に引き出されている場合にはゼンマイバネの付勢力によりリール２７が回転し、リール収容部２８内へと収容される。
【００２６】
したがって、ゼンマイバネの付勢力によりワイヤ２４がリール２７に巻回されてワイヤ収容部２６に収容される定常状態において、第２操作体３８はスプリング３４”の付勢力により操作ボタン３９’の庇部２１からの突出位置をとり、ワイヤ拘束突起４１’はワイヤ引き出し孔１６内に収容される連結金具２４ａに係止してワイヤ２４のハンドルベース３外部への引き出しを禁止する。この状態からワイヤ２４を引き出すためには、第２操作体３８の操作ボタン３９’を押し込めばよく、これによりワイヤ拘束突起４１’がワイヤ引き出し孔１６から退避して連結金具２４ａの拘束が解除され、また、ラチェット車３２に係止しているトリガ部材３３はリール２７のワイヤ２４引き出し方向への回転は妨げないために、連結金具２４ａ、すなわちワイヤ２４をワイヤ引き出し孔１６からハンドルベース３外部に引き出すことができる。また、ワイヤ２４を適宜引き出した状態において、スプリング３４によって付勢されてラチェット車３２に係止するトリガ部材３３はリール２７のワイヤ２４巻き取り方向への回転を規制するため、再度第２操作体３８の操作ボタン３９’を押さない限りは引き出したワイヤ２４がワイヤ収容部２６内に収容されてしまうことはない。
【００２７】
次いで、引き出したワイヤ２４を柱等に巻き付けた後、ワイヤ２４先端の連結金具２４ａをワイヤ差し込み孔１７に差し込む。ワイヤ差し込み孔１７は、スプリング３４’によって第１操作体３７が付勢されることによりワイヤ拘束突起４１が常時突出した状態にあるが、図５（ｂ）等に示すようにワイヤ拘束突起４１の先端に傾斜面が形成されることにより、連結金具２４ａで押し込むことによってワイヤ拘束突起４１をワイヤ差し込み孔１７からの退避方向に一時的に移動させることができる。また、このワイヤ拘束突起４１の移動は第１操作体３７の移動、すなわちダイヤル５を所定回転位置に合わせてスリーブ３６の係合凸部３６ａがスライド板４０の係合凹部４０ａに対して相対移動できる状態でなければできないため、ダイヤル５によって施解錠コードを入力しない限り、不用意には施錠ができないようにされる。ワイヤ差し込み孔１７に連結金具２４ａを挿入した後は、ダイヤル５を適宜回転させれば施錠は完了し、この状態でハンドル装置Ａはワイヤ２４によって柱等に繋ぎ止められる。
【００２８】
また、解錠する際には、以上とは逆に、先ず、ダイヤル５を回転させて施解錠コードを入力し、第１操作体３７の操作ボタン３９を押せばよく、これにより連結金具２４ａのワイヤ差し込み孔１７における拘束が解除され、ワイヤ２４を柱等から解くことができる。このときトリガ部材３３はスプリング３４の付勢力によりラチェット車３２に係止してリール２７のワイヤ２４巻き取り方向への回転が規制されるため、柱等から解く際にワイヤ２４が引っ張られるようなことはなく、ワイヤ２４を解いてから第２操作体３８の操作ボタン３９’を押すことによりワイヤ２４をワイヤ収容部２６に収容することができる。最後に、ワイヤ２４がワイヤ引き出し孔１６内に引き込まれた状態で、再度第２操作体３８の操作ボタン３９を押せば、連結金具２４ａはワイヤ拘束突起４１’によってワイヤ引き出し孔１６内にしっかりと拘束される。
【００２９】
また、以上のハンドル装置Ａは、この実施の形態においては、図７および図８に示すように、スーツケースＢ（鞄）に取り付けられる。スーツケースＢは、図７に示すように、図示しない蝶番によりＡＢＳ樹脂等で形成される本体側ケース４３と蓋側ケース４４を回転自在に連結して箱状に形成されるスーツケース本体（鞄本体６）を有し、スーツケース本体６の胴回りで分割される本体側ケース４３と蓋側ケース４４とを相対回転させることにより荷物収容室４５を開放、閉塞する。このスーツケース本体６の下端部には車輪４６が回転自在に装着され、スーツケースＢを押したり、握り手２を手で握って牽引したりする際に車輪を回転させることで運搬しやすくされる。なお、図８においてスーツケース本体６の胴回りにおける側面に取り付けられる４７は、スーツケース本体６を図８の横姿勢の状態から９０度回転させた縦姿勢でも把持できるようにして使い勝手を高めるための補助ハンドルである。
【００３０】
スーツケース本体６の本体側ケース４３と蓋側ケース４４の連結部である胴回りには補強のためにＥＶＡ素材等からなる薄板状のフレーム４８が介装され、上述したハンドル装置Ａは、本体側ケース４３に介装されるフレーム４８にネジ止めされてスーツケース本体６上面（固定外表面７）に装着される。図８（ａ）および（ｂ）に示すように、本体側ケース４３はフレーム４８の外表面にＡＢＳ樹脂層４９を、内面側にナイロン等の裏地５０を配置して形成され、ハンドル装置Ａは、本体側ケース４３の上面７に対し内側である荷物収容室４５側から上ケース３ａの取付用ねじ孔２２へと上記フレーム４８等を貫通して取り付けネジ５１をねじ込むことにより装着される。ハンドル装置Ａは本体側ケース４３の蓋側ケース４４との接合面に沿って、すなわちスーツケース本体６の胴回りに握り手２やハンドルベース３の長手方向を沿わせて取り付けられ、したがってスーツケース本体６の上面には、ワイヤ２４引き出し孔１６が開口するとともに、ダイヤル５に印刷される数字が見えるようにダイヤル５の操作開口１８が開口する。また、ワイヤ差し込み孔１７はスーツケース本体６の厚み方向の側面を向いて開口し、ハンドル本体１０は、このワイヤ差し込み孔１７の反対側を向いてスーツケース本体６側面に沿うように収納姿勢をとる。さらに、ハンドル本体１０のハンドルアーム１先端部に近接配置される操作ボタン３９、３９’は、ハンドルベース３のハンドル保持部１２、１２や収納姿勢をとるハンドル本体１０によりやや隠れた状態となり、同様にダイヤル５の周縁もハンドル本体１０により隠されて不用意に操作されないようになる。
【００３１】
したがってスーツケースＢの柱への繋ぎ止めは、ハンドル保持部１２、１２間の指先を入れて第２操作体３８の操作ボタン３９’を押し、図７に示すようにスーツケース本体６上面７側に開口するワイヤ引き出し孔１６からスーツケースＢ上方に引き出したワイヤ２４を柱５２に巻き付けた後、そのままスーツケースＢ側面に開口するワイヤ差し込み孔１７に挿入することによりスムーズに行うことができる。また、この後ダイヤル５を適宜回転させて施錠させた状態においては、上述したようにハンドル本体１０等に隠れることにより操作ボタン３９等の不用意な誤操作が防止されるために、過って操作ボタン３９が押されてワイヤ２４が巻き取られるようなことなどもない。さらに、施解錠コードにダイヤル５の回転位置を合わせてワイヤ２４を収納し、そのままハンドル装置Ａの握り手２を引き起こしつつ握る際には、ハンドルベース３側方に横たわるように収納姿勢をとるハンドル本体１０側の面に配置されるダイヤル５には指先が触れにくい上、ハンドル本体１０を引き起こして握り手２を手で握った状態においても、ダイヤル５は握り手２回りの回転面に対して直交する水平な面上を回転するため、万一指先が触れてもほとんど回転することはない。このため、このようにハンドル本体１０の握り手２を把持してスーツケースＢを運搬した後に、再度柱５２に繋ぎ止めたい場合などにおいては、前回解錠操作した位置でダイヤル５が保持されるため、再施錠をスムーズに行うことができる。
【００３２】
なお、以上の実施の形態においては、ハンドル本体１０をハンドルベース３に回転自在に連結してハンドル装置を構成する場合を示したが、例えばハンドル本体１０とハンドルベース３を合成樹脂材で一体成型するなどしてより簡潔に構成することなども可能である。また、ハンドル装置Ａは、スーツケースＢ以外にも、例えばキャリーケースやボストンバッグ、アタッシュケース等様々な鞄に装着することでこれらの防犯性を高めることが可能である。さらに、第２操作体３８と上ケース３ａや下ケース３ｂとの隙間をやや広くして適宜間隙を調整することなどにより、操作ボタン３９’を付勢するスプリング３４”を支点にして第２操作体３８を操作ボタン３９’の押し込みにより揺動させ、ワイヤ拘束突起４１を上方に引き起こすようにすることも可能で、この場合にはワイヤ２４をワイヤ収容部２６に収容するときには連結金具２４ａをワイヤ引き出し孔１６内に深く収容し、ワイヤ２４を引き出すときには操作ボタン３９’の操作により引き起こされるワイヤ拘束突起４１によってワイヤ引き出し孔１６から連結金具２４ａ飛び出させるなどして、より使い勝手を高めることができる。
【図面の簡単な説明】
【００３３】
【図１】鞄のハンドル装置を示す図で、（ａ）は正面図、（ｂ）は背面図である。
【図２】鞄のハンドル装置を示す図で、（ａ）は平面図、（ｂ）は底面図である。
【図３】鞄のハンドル装置を示す図で、（ａ）は左側面図、（ｂ）はハンドル本体を引き起こした状態を示す図である。
【図４】ハンドルベースとハンドル本体の連結状態を説明する図で、（ａ）は要部横断面図、（ｂ）は要部縦断面図である。
【図５】ダイヤルと操作ボタンの関係を説明する図で、（ａ）は図４（ａ）における５Ａ方向矢視の要部縦断面図、（ｂ）は背面側から見た要部横断面図である。
【図６】ワイヤ引き出し操作および解錠操作を説明する図で、（ａ）は要部横断面図、（ｂ）は要部縦断面図である。
【図７】鞄を柱に繋ぎ止めた状態を示す斜視図である。
【図８】ハンドル装置の鞄への取り付け状態を説明する要部断面図で、（ａ）はハンドル装置の左側から見た図、（ｂ）はハンドル装置を正面側から見た図である。
【符号の説明】
【００３４】
１  ハンドルアーム
２  握り手
３  ハンドルベース
４  ダイヤル錠
５  ダイヤル
６  鞄本体
７  固定外表面
Ｄ  間隔
【図１】
0004757600.tif 000002
【図２】
0004757600.tif 000003
【図３】
0004757600.tif 000004
【図４】
0004757600.tif 000005
【図５】
0004757600.tif 000006
【図６】
0004757600.tif 000007
【図７】
0004757600.tif 000008
【図８】
0004757600.tif 000009